(57)【要約】【課題】  多層光ディスク再生装置において、物理フォーマットの異なる複数の記録層を切り替えるとき、切り替え後の再生開始に要する時間を短縮する。【解決手段】  多層光ディスク再生装置において、物理フォーマットの異なる複数の記録層を有する多層光ディスクからコンテンツ情報及びデータ構造情報を読み出す情報読み出し部と、情報読み出し部が読み出したコンテンツ情報及びデータ構造情報を記憶する記憶部と、記憶したデータ構造情報に基づいて情報読み出し部が多層光ディスクから読み出すコンテンツ情報を再生する再生部と、多層光ディスクが有する物理フォーマットの異なる複数の記録層毎のサーボ調整値を検出して記憶し、記録層が切り替えられたとき、切り替え後の記録層のサーボ調整値を記憶部から読み出して使用し、切り替え後の記録層の再生を再開させる制御部を備えた。【選択図】      図１
2008159098.tif 000002
【特許請求の範囲】
【請求項１】
物理フォーマットの異なる複数の記録層を有する多層光ディスクから該多層光ディスクに記録されたオーディオ情報又はビデオ情報等のコンテンツ情報、及びボリューム構造情報又はファイル構造情報等のデータ構造情報を読み出す情報読み出し部と、前記情報読み出し部が読み出したコンテンツ情報及びデータ構造情報を半導体メモリに記憶する記憶部と、前記記憶部により半導体メモリに記憶されたデータ構造情報に基づいて前記情報読み出し部が多層光ディスクから読み出したコンテンツ情報を再生する再生部と、前記多層光ディスクが有する物理フォーマットの異なる複数の記録層毎のサーボ調整値を検出して前記半導体メモリに記憶し、記録層が切り替えられたとき、切り替え後の記録層のサーボ調整値を前記半導体メモリから読み出して使用し、切り替え後の記録層の再生を再開させる制御部を備えたことを特徴とする多層光ディスク再生装置。
【発明の詳細な説明】
【技術分野】
【０００１】
本発明は、多層光ディスク再生装置に関する。
【背景技術】
【０００２】
従来、物理フォーマットの同じ複数の記録層を有する多層記録媒体に対して、各記録層のサーボ調整値を記憶部に記憶し、記録層の切り替え時に、前回使用したサーボ調整値を使用して再生を再開させ、記録層の切り替えに要する時間を短縮する多層記録媒体再生装置があった（特許文献１参照）。
【０００３】
【特許文献１】特開平１１−２１３４０２号公報
【発明の開示】
【発明が解決しようとする課題】
【０００４】
特許文献１の多層記録媒体再生装置では、物理フォーマットの異なる複数の記録層を有する多層光ディスクを再生する機能を備えていない。物理フォーマットの異なる複数の記録層を有する多層光ディスクを再生する場合、それぞれの記録層では、異なる波長のレーザ光によるデータ読み出しが必要となるため、記録層の切り替え時には、レーザ光の切り替えが必須である。再生中に記録層を切り替える場合、多層光ディスクを一旦停止させレーザ光を切り替え、あらためてサーボ調整を行い、データ読み出しを行うために時間を要していた。
【０００５】
本発明の目的は、多層光ディスク再生装置において、物理フォーマットの異なる複数の記録層を有する多層光ディスクに対し、記録層の切り替えを複数回行う場合、切り替え後の再生開始までに、切り替え毎に一旦多層光ディスクを停止させレーザ光を切り替え再生を再開させることによってかかっていた時間を短縮することにある。
【課題を解決するための手段】
【０００６】
本発明の請求項１に記載の多層光ディスク再生装置は、物理フォーマットの異なる複数の記録層を有する多層光ディスクから該多層光ディスクに記録されたオーディオ情報又はビデオ情報等のコンテンツ情報、及びボリューム構造情報又はファイル構造情報等のデータ構造情報を読み出す情報読み出し部と、前記情報読み出し部が読み出したコンテンツ情報及びデータ構造情報を半導体メモリに記憶する記憶部と、前記記憶部により半導体メモリに記憶されたデータ構造情報に基づいて前記情報読み出し部が多層光ディスクから読み出したコンテンツ情報を再生する再生部と、前記多層光ディスクが有する物理フォーマットの異なる複数の記録層毎のサーボ調整値を検出して前記半導体メモリに記憶し、記録層が切り替えられたとき、切り替え後の記録層のサーボ調整値を前記半導体メモリから読み出して使用し、切り替え後の記録層の再生を再開させる制御部を備えたものである。
【発明の効果】
【０００７】
本発明の多層光ディスク再生装置によれば、物理フォーマットの異なる複数の記録層を有する多層光ディスクに対し、記録層の切り替え毎に多層光ディスクを停止させサーボ調整を行う動作を不要とし、記録層切り替え後、レーザ光を切り替え再生再開するまでにかかる時間を短縮することができる。
【発明を実施するための最良の形態】
【０００８】
図１は、本発明の多層光ディスク再生装置の一実施例の構成を示すブロック図である。
多層光ディスク１は、物理フォーマットの異なる複数の記録層を有し、オーディオ情報又はビデオ情報等のコンテンツ情報、及びボリューム構造情報又はファイル構造情報等のデータ構造情報が記録されている。スピンドルモータ２は、多層光ディスク１を回転駆動する。光ピックアップ３は、記録層の物理フォーマットに応じたレーザ光に切り替える機能を備え、多層光ディスク１の記録層毎に記録されたデータ構造情報信号及びコンテンツ情報信号を読み出す。ＲＦアンプ４は、光ピックアップ３が読み出した情報信号を増幅する。スライドモータ５は、光ピックアップ３を、多層光ディスク１の半径方向(矢印Ａ)に往復水平駆動する。
【０００９】
サーボプロセッサ６は、ＲＦアンプ３が増幅した情報信号を用いて、光ピックアップ３を多層光ディスク１に記録された情報信号のピット列に追従させるように、光ピックアップ３及びスライドモータ５を制御する。半導体メモリ７は、サーボプロセッサ６に入力されたコンテンツ情報信号を一旦バッファする。サーボプロセッサ６は、半導体メモリ７にバッファしたコンテンツ情報信号をデコーダ８に出力する。デコーダ８は、入力されたコンテンツ情報信号を復調する。半導体メモリ９は、デコーダ８が復調したコンテンツ情報信号をバッファする。
【００１０】
デコーダ８は、半導体メモリ９にバッファしたコンテンツ情報信号を読み出し、読み出したコンテンツ情報信号が圧縮された情報信号であれば伸張処理し、オーディオ情報信号とビデオ情報信号に分離して、オーディオ情報信号をＤＡコンバータ(Ｄ／Ａ)１０に出力し、ビデオ情報信号をＤＡコンバータ(Ｄ／Ａ)１２に出力する。ここで、ビデオ情報信号は、輝度信号Ｙ、色差信号(Ｒ−Ｙ，Ｂ−Ｙ)、及び同期信号として出力される。Ｄ／Ａ１０は、オーディオ情報信号をディジタル信号からアナログ信号に変換する。出力端子１１は、Ｄ／Ａ１０がアナログ信号に変換したオーディオ情報信号を、出力端子１１に接続された機器に出力する。
【００１１】
Ｄ／Ａ１２は、ビデオ情報信号の輝度信号Ｙ、色差信号(Ｒ−Ｙ，Ｂ−Ｙ)、及び同期信号をディジタル信号からアナログ信号に変換する。ＯＳＤ(On Screen Display)１３は、Ｄ／Ａ１２から入力されたビデオ情報信号にディスプレイ情報を付加する。ビデオコンバータ１４は、ＯＳＤ１３から入力されたビデオ情報信号から、ＮＴＳＣ又はＰＡＬのコンポジット・ビデオ信号、Ｓビデオ信号(Ｙ信号、Ｃ信号)等を生成する。出力端子１５は、ビデオコンバータ１４が出力するビデオ情報信号を、出力端子１５に接続された機器に出力する。
【００１２】
システムコントロール部１６は、マイクロコンピュータ等を用いて構成され、サーボプロセッサ６、デコーダ８、ＯＳＤ１３を制御する。システムコントロール部１６には、データを表示する表示部１７、データ等の入力キーを備えた操作部１８が接続される。システムコンロール部１６には、キーボードなどを接続するための外部インタフェース部、各種データを記憶し読み出すための外部記憶装置を接続することもできる。
【００１３】
図２は、本実施例の多層光ディスク再生装置の一実施例の初期立上げ処理を示すフローチャートである。
多層光ディスク再生装置に光ディスクがセットされると(Ｓ１)、システムコントロール部１６は、サーボプロセッサ６を介して光ピックアップ３をセットされた光ディスクに対してサーボ調整を行い光ピックアップ３に光ディスクからデータ構造情報を読み取らせ、当該データ構造情報によって、セットされた光ディスクが多層光ディスクであるか否かを判別する(Ｓ２)。多層光ディスクでない場合(Ｓ２でＮＯ)、サーボプロセッサ６は多層光ディスクでない場合のサーボ調整を行い(Ｓ９)、終了する。
【００１４】
多層光ディスクである場合(Ｓ２でＹＥＳ)、システムコントロール部１６は、各記録層の物理フォーマットが同一であるか否かを判別する(Ｓ３)。各記録層の物理フォーマットが同一である場合(Ｓ３でＹＥＳ)、サーボプロセッサ６は多層光ディスクである場合のサーボ調整を行い(Ｓ９)、終了する。各記録層の物理フォーマットが異なる場合(Ｓ３でＮＯ)、記録層番号ｎ＝１として(Ｓ４)、サーボプロセッサ６は、記録層ｎ(ここでは記録層１)のサーボ調整を行い(Ｓ５)、サーボ調整値を半導体メモリ７に記憶する(Ｓ６)。
【００１５】
次の記録層があれば(Ｓ７でＹＥＳ)、記録層番号ｎ＝ｎ＋１として(Ｓ８)、Ｓ５に戻り、次の記録層ｎのサーボ調整を行い、サーボ調整値を半導体メモリ７に記憶する(Ｓ６)。全ての記録層のサーボ調整を行い、次の記録層がない場合(Ｓ７でＮＯ)、終了する。
【００１６】
図３は、本実施例の多層光ディスク再生装置の一実施例の記録層切り替え処理を示すフローチャートである。
ユーザーが操作部１８によって記録層の切り替え操作を行った場合(Ｓ１１でＹＥＳ)、システムコントロール部１６は、切り替え前と切り替え後とで記録層の物理フォーマットが同一であるか否かを判別する(Ｓ１２)。物理フォーマットが同一である場合(Ｓ１２でＹＥＳ)、サーボ調整値を変更せず切り替え後の立上げを行い、再生を再開する(Ｓ１６)。この切り替え時に、もしフォーカスエラーが生じた場合には、あらためて、フォーカスサーボの調整を行う。
【００１７】
物理フォーマットが異なる場合(Ｓ１２でＮＯ)、切り替え後の記録層のサーボ調整値を半導体メモリ７から読み出し(Ｓ１３)、サーボプロセッサ６は、一旦サーボをＯＦＦし、スピンドルモータ２の回転を停止させずに、光ピックアップ３のレーザ光を切り替えて(Ｓ１４)、半導体メモリ７から読み出したサーボ調整値を使用して、切り替え後の記録層のサーボ投入動作を行い、再生を再開する(Ｓ１５)。
【００１８】
本実施例の多層光ディスク再生装置は、物理フォーマットの異なる複数の記録層を有する多層光ディスクの記録層を切り替えて再生するとき、レーザ光の切り替え及びサーボ調整に要する時間を短縮することができる。
【図面の簡単な説明】
【００１９】
【図１】本発明の多層光ディスク再生装置の一実施例の構成を示すブロック図である。
【図２】本実施例の多層光ディスク再生装置の一実施例の初期立上げ処理を示すフローチャートである。
【図３】本実施例の多層光ディスク再生装置の一実施例の記録層切り替え処理を示すフローチャートである。
【符号の説明】
【００２０】
１  多層光ディスク
２  スピンドルモータ
３  光ピックアップ
４  ＲＦアンプ
５  スライドモータ
６  サーボプロセッサ
７，９  半導体メモリ
８  デコーダ
１０，１２  ＤＡコンバータ(Ｄ／Ａ)
１１，１５  出力端子
１３  ＯＳＤ
１４  ビデオコンバータ
１６  システムコントロール部
１７  表示部
１８  操作部
【図１】
2008159098.tif 000003
【図２】
2008159098.tif 000004
【図３】
2008159098.tif 000005